(57)【特許請求の範囲】
【請求項１】
シェルの側壁においてその長手方向に延在し、長さ方向に移動可能に案内されたストライクと、シェルの外面において一部をストライクと重合するように配設され、一端をシェルに回動自在に支承されて他端部が跳ね上がることができるように設けられたレバーとを有し、このレバーの他端部の内面にかばん錠の掛け金機構を制御する施解錠部材を形成し、一方、ストライクの一端をシリンダ錠の内筒に連係させ、他端にレバーの施解錠部材と係脱可能に係合する係止部を形成し、解錠時、係止部が施解錠部材から離間する方向にストライクを移動させ、自由になった施解錠部材をレバーの跳ね上げによって掛け金機構から離間させることによりかばん錠を解錠するようにしたものにおいて、レバーに開口したその長さ方向に細長い表示窓の内側に、表示窓の長さ方向に延在し中心軸の回りを回動自在に支承された棒状のインジケータを設け、このインジケータの外表面に、かばん錠の施錠又は解錠の状態を示す一対の表示をインジケータの円周方向に連記すると共に、中心軸に関しこれらの表示とは対称的な位置に係合突起を半径方向に突設し、また、インジケータに外力が作用しない常態において、かばん錠の解錠状態を示す表示が表示窓に現われるようにインジケータを付勢し、一方、ストライクの他端部に、解錠時インジケータの係合突起が落込む落とし孔を開口させると共に、施錠時係合突起と衝接するこの落とし孔の開口端縁を傾斜させ、施錠時係合突起と傾斜端縁との間に作用する楔作用により係合突起をストライク上に乗り上がらさせ、このときかばん錠の施錠状態を示す表示が表示窓に現われるようにしたことを特徴とするかばん錠の施解錠表示機構。
【発明の詳細な説明】
【０００１】
【発明の属する技術分野】
この発明は、かばん錠の施解錠表示機構（以下単に表示機構という）に係り、特にかばん錠の強度及び剛性を向上させることができる表示機構に関する。
【０００２】
【従来の技術】
一対のシェルの一端を蝶着し、他端に掛け金機構を設けた所謂トランク様のかばんは、通常、シリンダ錠及び掛け金制御機構を有するかばん錠を有し、また、このかばん錠が施錠されているか解錠されているかを表示する表示機構を備えている。
【０００３】
従来、この表示機構は、施錠及び解錠状態を例えば表示片の色の変化によって示していた。
【０００４】
しかしながら、色の変化によって施解錠の区別をする場合には、施錠、解錠時の色を記憶しておかなければならず、使い勝手が悪い。
【０００５】
そこで、近年、施錠及び解錠を例えば「ＬＯＣＫ」、「ＯＰＥＮ」の様に文字で表示する表示機構が用いられるようになり、このような表示機構は一目で施解錠状態が判り使い勝手が良い。
【０００６】
このように施解錠状態を文字で表示する表示機構は、表示が細長くなるので、通常「ＬＯＣＫ」、「ＯＰＥＮ」の表示を幅方向に連記した表示片を用い、この表示片を表示の幅方向に駆動する。
【０００７】
例えば、図１に示すように、かばん錠のフレーム１に、円柱体の一部をなし、その外周面に「ＬＯＣＫ」、「ＯＰＥＮ」の文字を幅方向に連記したインジケータ２を支軸３により回動可能に軸支し、同時に図示しない捩りばねにより図１で矢印方向に付勢する。
【０００８】
一方、かばん錠のシリンダ錠の内筒に連係され、施解錠時長手方向に移動するストライク４の先端部に駆動片５を切り起こし、これをインジケータ２と一体の従動片２ａに係合させる。
【０００９】
上記した構成により、施錠時ストライク４は付勢力に抗してインジケータ２を矢印とは反対方向に回動させ、このときインジケータに表示された「ＬＯＣＫ」という表示がフレーム１に開口した表示窓６に臨むので、その表示を見て瞬時にかばん錠が施錠されていることが判る。
【００１０】
同様にして、解錠時にはストライク４がインジケータ２から離間する方向に移動し、表示窓６に「ＯＰＥＮ」という表示が現われる。
【００１１】
【発明が解決しようとする課題】
上記した従来の表示機構は、文字で施、解錠状態を表示するので使い勝手は良いが、インジケータ２の表示の長手方向がフレーム１の幅方向に一致するので、換言すれば表示窓６がフレーム１の幅方向に長く開口するので、この表示窓部分の強度及び剛性が低下する、という不都合がある。
【００１２】
通常、フレーム１の長手方向において表示窓６と支軸３の支持孔（付番せず）が一致するので、フレーム１の強度及び剛性の低下の程度が増大する。
【００１３】
この発明は、文字で施解錠の表示をするので使い勝手が良く、しかもかばん錠の強度及び剛性を低下させることが無い表示機構を提供することを目的としている。
【００１４】
【課題を解決するための手段】
上記の目的を達成するため、この発明は、シェルの側壁においてその長手方向に延在し、長さ方向に移動可能に案内されたストライクと、シェルの外面において一部をストライクと重合するように配設され、一端をシェルに回動自在に支承されて他端部が跳ね上がることができるように設けられたレバーとを有し、このレバーの他端部の内面にかばん錠の掛け金機構を制御する施解錠部材を形成し、一方、ストライクの一端をシリンダ錠の内筒に連係させ、他端にレバーの施解錠部材と係脱可能に係合する係止部を形成し、解錠時、係止部が施解錠部材から離間する方向にストライクを移動させ、自由になった施解錠部材をレバーの跳ね上げによって掛け金機構から離間させることによりかばん錠を解錠するようにしたものにおいて、レバーに開口したその長さ方向に細長い表示窓の内側に、表示窓の長さ方向に延在し中心軸の回りを回動自在に支承された棒状のインジケータを設け、このインジケータの外表面に、かばん錠の施錠又は解錠の状態を示す一対の表示をインジケータの円周方向に連記すると共に、中心軸に関しこれらの表示とは対称的な位置に係合突起を半径方向に突設し、また、インジケータに外力が作用しない常態において、かばん錠の解錠状態を示す表示が表示窓に現われるようにインジケータを付勢し、一方、ストライクの他端部に、解錠時インジケータの係合突起が落込む落とし孔を開口させると共に、施錠時係合突起と衝接するこの落とし孔の開口端縁を傾斜させ、施錠時係合突起と傾斜端縁との間に作用する楔作用により係合突起をストライク上に乗り上がらさせ、このときかばん錠の施錠状態を示す表示が表示窓に現われるようにしたことを特徴とする。
【００１５】
【発明の実施の形態】
以下、この発明の実施例を図２乃至図１３を参照して説明する。
図２及び図３はこの発明による表示機構を備えたかばん錠の正面から見て例えば右側のレバーユニットを示し、これらの図において符号７は取付片７ａを介してシェルの側壁８（図４参照）に取付けられるケースである。
【００１６】
このケース７の上面には、一端（図２乃至図７で左端）を回動自在に支承されたレバー９が設けられている。
【００１７】
一方、ケース７にはシェルの側壁８の長さ方向に沿って延在するストライク４がその長さ方向に移動可能に案内されており、このストライク４は、一端（図２で左端）に開口した係合孔１１と係合する図示しない連結レバーを介して、これも図示しないシリンダ錠の内筒に連係されている。
【００１８】
そして、かばん錠が施錠されているときには、図２乃至図４に示すように、ストライク４はこれらの図において右方に移動しており、図８に示すように、ストライク４の他端に開口したＴ字形の穴を有する係止部１２が、レバー９の他端部内面に一体に突設された全体の形状がＴ字形の施解錠部材１３（図４及び図８参照）と係合して、レバー９がケース７上に伏せる施錠状態を保っている。
【００１９】
かばん錠を解錠するため図示しない合鍵によりシリンダ錠を解錠すると、内筒が回動して図示しない連結レバーがストライク４をケース７から離間する方向に引く。
【００２０】
するとストライク４は図５及び図６に示すように左方に一定距離移動し、図８から明らかなように、係止部１２と施解錠部材１３との係合が外れる。
【００２１】
この状態でレバー９の他端の係止ラッチ１４（図５及び図６参照）を指で押込むと、係止ラッチ１４とケース７との係合が外れ、図７に示すように、レバー９を跳ね上げることができるようになる。
【００２２】
レバー９を跳ね上げると、図７から明らかなように、施解錠部材１３と、ケース７内において左右に移動可能に収納された図示しないカマと称される施錠部材との係合が外れ、シェルを開くことができるようになる。
【００２３】
なお、施解錠部材と掛け金機構との構成及び関連は、この発明の要旨ではないので、更に詳細な説明は省略する。
【００２４】
次に本発明による表示機構の構成について述べると、図２及び図５に示すように、レバー９の表面のほぼ中央にはレバー９の長さ方向に細長い表示窓６が開口している。
【００２５】
この表示窓６には例えば薄い透明なカバー板（付番せず）が嵌め込まれていて、このカバー板を通して内部のインジケータの表示を視認できるようになっている。
【００２６】
この表示窓６の内側には、図９及び図１０に示すように、棒状のインジケータ２がその中心軸回りを回動自在に設けられている。
【００２７】
このインジケータ２は、図１１に示すように、表示窓６の長さ方向に延在し、一部が円柱体をなす棒状体で、その外表面には、かばん錠の施錠又は解錠の状態を示す「ＬＯＣＫ」又は「ＯＰＥＮ」の表示が円周方向に連記されている。
【００２８】
このインジケータ２の両端には支軸２ａ、２ａが突設されており、この支軸２ａをレバー９の内面に一体に形成されたＵ字形の軸受け９ａ（図９及び図１０参照）に回動自在に挟持させることにより、インジケータ２はレバー９の内面に回動自在に支承されている。
【００２９】
なお、上記の軸受け９ａは、図示の実施例ではレバーと同一材料の合成樹脂製で、その弾力によりＵ字形の開口部が拡開し、支軸２ａと嵌合した後開口部がこれを包持するように構成されているが、この軸受け部をレバーとは別の部材としてもよいことは勿論である。
【００３０】
そして、このインジケータ２の中心軸に関し、一対の表示とは対称的な位置には、図１１に示すように、係合突起２ｂが半径方向に突設されている。
【００３１】
また、インジケータ２は、図示しない捩りコイルばねにより、これに外力が作用しない常態において、図１１の（Ｄ）のように解錠を示す「ＯＰＥＮ」の表示が表示窓６に現われるように、換言すれば、図９及び図１０において時計方向に付勢されている。
【００３２】
なお、解錠状態においては、係止条２ｃがレバー９の内面に衝接し、図１０に示す角度位置を保つ。
【００３３】
一方、図８に示すように、ストライク４の他端には、前記係止部１２を構成するＴ字形の開口に連接して、解錠時（図１２参照）インジケータ２の係合突起２ｂが落込む落とし孔１５が開口している。
【００３４】
そして、この落とし孔１５の施錠時係合突起２ｂと衝接する開口端縁は傾斜端縁１６となっている。
【００３５】
上記のように構成されたこの発明による表示機構は、解錠時には、図６、図１０及び図１２に示すように、スライダ４がインジケータ２から離間する位置を保つので、インジケータ２の係合突起２ｂはストライク４に開口した落とし孔１５に落込み、インジケータ２の「ＯＰＥＮ」という表示がレバーの表示窓６に現われる（図５参照）。
【００３６】
一方、かばん錠の合鍵を施錠方向に回すと、ストライク４は図１２で右方に移動し、このとき傾斜端縁１６がインジケータの係合突起２ｂと衝接して、両者の間に生じる楔作用により、インジケータ２は図１０で半時計方向に回転モーメントを受け、やがてのことに係合突起２ｂはストライク４上に乗り上がる（図９及び図１３参照）。
【００３７】
このときインジケータ２の「ＬＯＣＫ」という表示が表示窓６と整合し、かばん錠の施錠状態を表示する。
【００３８】
【発明の効果】
以上の説明から明らかなように、この発明は、かばん錠の施解錠状態を表示するインジケータをレバーの内側にその長さ方向に沿うように設けたので、表示窓のレバーの幅方向の寸法を小さくすることができ、従ってかばん錠の強度及び剛性の向上を期待できる、という初期の効果を奏する。
【図面の簡単な説明】
【図１】従来の表示機構の構成の一例を構成部材を分解して示す斜視図。
【図２】この発明の一実施例による表示機構を備えたレバーユニットの平面図で施錠状態を示す。
【図３】その正面図。
【図４】その縦断面図。
【図５】図２と同様のレバーユニットの平面図で、解錠状態を示す。
【図６】その縦断面図。
【図７】レバーを跳ね上げた状態を示す図６と同様のレバーユニットの縦断面図。
【図８】ストライクの平面図。
【図９】図４のＩＸ−ＩＸ線による施錠状態のレバーユニットの横断面図。
【図１０】図６のＸ−Ｘ線による解錠状態のレバーユニットの横断面図。
【図１１】インジケータの構造を示す図面で、その内（Ａ）は施錠状態における側面図、（Ｂ）は正面図、（Ｃ）は解錠状態における側面図、（Ｄ）は平面図である。
【図１２】インジケータとストライクとの関連を示す平面図で、解錠状態を示す。
【図１３】インジケータとストライクとの関連を示す平面図で、施錠状態を示す。
【符号の説明】
２  インジケータ
２ａ  係合突起
４  ストライク
６  表示窓
９  レバー
１５  落とし孔
１６  傾斜端縁
【図１】
0004129322.tif 000002
【図２】
0004129322.tif 000003
【図３】
0004129322.tif 000004
【図４】
0004129322.tif 000005
【図５】
0004129322.tif 000006
【図６】
0004129322.tif 000007
【図７】
0004129322.tif 000008
【図８】
0004129322.tif 000009
【図９】
0004129322.tif 000010
【図１０】
0004129322.tif 000011
【図１１】
0004129322.tif 000012
【図１２】
0004129322.tif 000013
【図１３】
0004129322.tif 000014